【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
物品を分配するための装置であって、
前面、背面、対の側面、および、貯蔵所領域を有する内部を有するキャビネットと、
該キャビネットと動作可能なように結合されるディスペンサフレームであって、複数の仕切りを含む該ディスペンサフレームと、
該貯蔵領域内に複数の物品を保持するように構成される複数の分配メカニズムであって、該ディスペンサフレームと動作可能なように結合される該複数の分配メカニズムと、
該分配メカニズムのそれぞれと関連した視覚指示器と、
該ディスペンサフレームの前に配置されるように、該キャビネットの該前面に結合される施錠可能な扉であって、該キャビネットの内部および該ディスペンサフレームへのアクセスを提供するために動作可能である該扉と、
分配用引き出しであって、該分配メカニズムから分配された物品が該分配用引き出しに落下するように、該貯蔵領域の下において該キャビネットと結合される該分配用引き出しと、
該分配メカニズムおよび該視覚指示器へ、動作可能なように結合されるコンピュータであって、再貯蔵または変更される該分配メカニズムの視覚指示器を作動するように構成される該コンピュータと
を備える、装置。
【請求項２】
前記分配用引き出しが前記ディスペンサフレームの幅と実質的に等しい幅を有し、該ディスペンサフレームが前記内部から引き出されるように構成されている、請求項１に記載の装置。
【請求項３】
前記分配用引き出しが実質的に前記前面全体の長さにわたって拡がっており、前記コンピュータは、物品が前記分配メカニズムのうちの一つから分配された後に、前記分配用引き出しを自動的に開くための信号を送るように構成されている、請求項２に記載の装置。
【請求項４】
前記コンピュータが、前記キャビネットにおいて貯蔵された物品と該物品の量と該物品の位置との記録をさらに含む、請求項１に記載の装置。
【請求項５】
前記コンピュータが、物品の選択を許可するように、および、該選択された物品を分配するための前記分配メカニズムのうちの一つによって利用可能である信号を送るように、構成されている、請求項４に記載の装置。
【請求項６】
前記分配用引き出しが照明を含み、前記コンピュータが前記物品の選択において、該分配用引き出しの照明を光らせるように、構成されている、請求項５に記載の装置。
【請求項７】
前記仕切りは、前記分配メカニズムの配置が調整されることを許可するために変更可能であって、該仕切りの構成を感知するために、前記ディスペンサフレームに関連した仕切り感知システムをさらに含み、前記コンピュータが該仕切りの該構成の情報を貯蔵するように構成されている、請求項１に記載の装置。
【請求項８】
前記コンピュータが前記分配メカニズム内で保持される前記物品の入力情報を受信する、請求項４に記載の装置。
【請求項９】
前記分配メカニズムのそれぞれが、作動される場合に、前記コンピュータへ信号を送るために動作可能である感知メカニズムを含む、請求項８に記載の装置。
【請求項１０】
前記感知メカニズムは、物品を割り当てられることが前記関連した分配メカニズムに合図されるということを、前記コンピュータへ指示するように、それぞれ動作可能であって、該コンピュータが、該合図された分配メカニズムへ物品を割り当てる入力を受信するように構成されている、請求項９に記載の装置。
【請求項１１】
前記感知メカニズムが、前記関連した分配メカニズムが再貯蔵されることを、前記コンピュータへ指示するように、それぞれ動作可能である、請求項９に記載の装置。
【請求項１２】
前記コンピュータが前記分配キャビネットを使用し得る個人の記録を含む、請求項１に記載の装置。
【請求項１３】
前記コンピュータが、該コンピュータへ認可された個人からの適切な識別情報の入力において、前記扉の施錠を解除するように構成されている、請求項１２に記載の装置。
【請求項１４】
前記扉が照明を含み、前記コンピュータが再貯蔵要求の受け取りにおいて、該扉の照明を光らせるように構成されている、請求項１３に記載の装置。
【請求項１５】
前記視覚指示器が照明を備え、前記コンピュータが、再貯蔵されるそれぞれの分配メカニズムに対応する該照明を光らせるように構成される、請求項１４に記載の装置。
【請求項１６】
前記コンピュータが、前記点灯された照明のうちの一つを押すことによって、再貯蔵される物品のタイプを表示するように構成されている、請求項１５に記載の装置。
【請求項１７】
前記コンピュータが、再貯蔵の記録を生成し、再貯蔵の後に、前記関連した分配メカニズムの前記照明を消すように構成されている、請求項１６に記載の装置。
【請求項１８】
前記仕切りが、前記ディスペンサ上のコネクタと接続するように構成されているコネクタを含む、請求項１に記載の装置。
【請求項１９】
前記キャビネットが、返却された物品を受け取るために適合された返却ユニットをさらに含む、請求項１に記載の装置。
【請求項２０】
物品が前記分配メカニズムから落下し前記分配用引き出しへ落ちるときを検出するように構成されている感知システムをさらに備えている、請求項１に記載の装置。
【請求項２１】
前記ディスペンサフレームが、前記コンピュータと電気的に結合された制御回路基板であって、前記分配メカニズムと電気的に結合されるように構成されている制御回路基板をさらに含む、請求項１に記載の装置。
【請求項２２】
追加の物品を保持するように構成されている多数の貯蔵場所を有する、少なくとも一つの引き出しをさらに備えている、請求項１に記載の装置。
【請求項２３】
追加の物品を保持するように構成されている貯蔵場所を有する、少なくとも一つの棚をさらに備えている、請求項１に記載の装置。
【請求項２４】
物品を分配するための装置であって、
前面、背面、対の側面、および、貯蔵領域を有する内部を有するキャビネットと、
該キャビネットと結合されるディスペンサフレームであって、複数の仕切りを含む該ディスペンサフレームと、
該仕切りと結合される複数の分配メカニズムであって、該貯蔵領域内で複数の物品を保持するように構成されている該複数の分配メカニズムと、
該ディスペンサフレームの前に位置されるように該キャビネットの該前面に結合される施錠可能な扉であって、該キャビネットの該内部およびディスペンサフレームへのアクセスを提供するように動作可能である該扉と、
分配用引き出しであって、該分配メカニズムから分配された物品が該分配用引き出しに落下するように該貯蔵領域の下において該キャビネットと結合される該分配用引き出しと、
該分配メカニズムと動作可能なように結合されるコンピュータと、
該分配メカニズムのそれぞれに関連した感知メカニズムであって、作動される場合、それぞれの感知メカニズムが、作動される該感知メカニズムに関連した該分配メカニズムを識別するために、該コンピュータによって利用可能である信号を生成するように構成されている該感知メカニズムと
を備える、物品分配装置。
【請求項２５】
前記感知メカニズムは、物品を割り当てられることが前記関連した分配メカニズムに合図されるということを、前記コンピュータへ指示するように、それぞれ動作可能であって、該コンピュータが、該合図された分配メカニズムへ物品を割り当てる入力を受信するように構成されている、請求項２４に記載の装置。
【請求項２６】
前記感知メカニズムのそれぞれが、前記関連した分配メカニズムが再貯蔵されることを、前記コンピュータへ指示するように動作可能である、請求項２４に記載の装置。
【請求項２７】
前記分配用引き出しが実質的に前記前面全体の長さにわたって拡がっている、請求項２４に記載の装置。
【請求項２８】
分配装置を構成するための方法であって、
内部を有するキャビネットと、該キャビネットと結合されるディスペンサフレームであって、それぞれが該内部において複数の物品を保持する複数の分配メカニズムを保持するための複数の仕切りを含んでいる、ディスペンサフレームと、該ディスペンサフレームの前に配置されるように、該キャビネットの前面と結合される施錠可能な扉と、分配用引き出しであって、該分配メカニズムから分配される物品が該分配用引き出しに落下するように、貯蔵領域の下において該キャビネットへ結合される該分配用引き出しと、コンピュータと、を備える分配装置を提供することと、
該ディスペンサフレームにアクセスするために該扉を開くことと、
信号を生成するように構成される該分配メカニズムのうちの一つに関連した感知メカニズムを作動させることと、
該作動される感知メカニズムに関連した該分配メカニズムが構成されることを指示するために、該信号を該コンピュータへ送信することと
を包含する、方法。
【請求項２９】
前記作動される感知メカニズムに関連した前記分配メカニズムに関連させる物品を、前記コンピュータへ入力することをさらに包含する、請求項２８に記載の方法。
【請求項３０】
前記作動される感知メカニズムに関連した前記分配メカニズムに、物品を再貯蔵することをさらに包含する、請求項２８に記載の方法。
【請求項３１】
所望の構成において前記仕切りを配置することと、該仕切りの該配置の情報を前記コンピュータに提供することとをさらに包含する、請求項２８に記載の方法。
【請求項３２】
前記分配装置は、前記仕切りの前記構成を感知するための前記ディスペンサフレームに関連した仕切り感知システムをさらに含み、該仕切りの前記配置の前記情報が、該仕切り感知システムからの信号を含む、請求項３１に記載の方法。
【請求項３３】
前記感知メカニズムが、前記分配メカニズムのうちの一つのアドレスを前記コンピュータへ入力するために作動される、請求項２８に記載の方法。
【請求項３４】
前記感知メカニズムが作動した場合に、前記アドレスが、前記仕切り上の新規分配メカニズムの場所を感知することによって決定される、請求項３３に記載の方法。
【請求項３５】
前記感知メカニズムが前記分配メカニズム上のボタンを備え、該分配メカニズムの前記アドレスを前記コンピュータへ入力するために、該分配メカニズム上の該ボタンを押すことをさらに包含する、請求項３４に記載の方法。
【請求項３６】
前記分配メカニズムに関連される前記物品が、前記コンピュータによって表示される物品のリストから物品を選択することによって入力される、請求項２９に記載の方法。
【請求項３７】
物品を分配するために要求を前記コンピュータに入力することと、該物品を前記分配用引き出しに分配するために前記分配メカニズムを動作させることとをさらに包含する、請求項２８に記載の方法。
【請求項３８】
物品を再貯蔵するための方法であって、
内部を有するキャビネットと、該キャビネットへ結合されるディスペンサフレームであって、該内部でそれぞれが複数の物品を保持する複数の分配メカニズムを保持するように構成されている複数の仕切りを含んでいる、ディスペンサフレームと、該ディスペンサフレームの前に配置されるように該キャビネットの前面に結合される施錠可能な扉と、分配された物品を受け取るための該キャビネットへ結合される分配用引き出しと、コンピュータと、を備えている分配装置を提供することと、
再貯蔵情報を該コンピュータに入力することと、
再貯蔵ユーザ識別情報を該コンピュータへ入力することと、
物品を再貯蔵するための要求を該コンピュータへ入力することと、
該扉の施錠を解除することおよび開くことと、
再貯蔵される該分配メカニズムに関連した視覚指示器を作動させることと、
少なくとも１つの物品を、作動された視覚指示器を有する該分配メカニズムのうちの少なくとも１つの内に再貯蔵すること
を包含する、方法。
【請求項３９】
前記視覚指示器が照明を備え、再貯蔵を必要とする前記分配メカニズム上の該照明をフラッシュさせることをさらに包含する、請求項３８に記載の方法。
【請求項４０】
一つ以上の物品が再貯蔵されることを示すために、前記分配メカニズムのうちの一つ上のボタンを押すことをさらに包含する、請求項３９に記載の方法。
【請求項４１】
前記ボタンを押した後に、前記分配メカニズム上の照明を継続的に点灯することと、前記コンピュータを使用して前記物品の名前を表示することとをさらに包含する、請求項４０に記載の方法。
【請求項４２】
前記分配メカニズムにおいて物品の数量を確証することと、該確証を前記コンピュータに入力することとをさらに包含する、請求項４１に記載の方法。
【請求項４３】
再貯蔵が完了されたことの信号を送るために、前記分配メカニズム上の前記ボタンを押すことをさらに包含する、請求項４１に記載の方法。
【請求項４４】
前記ボタンを押すことで前記照明を消すことをさらに包含する、請求項４３に記載の方法。
【請求項４５】
分配される複数の物品を保持するように構成されているハウジングと、
該ハウジングを分配キャビネットに電気的に結合するように適合されている電気インターフェースと、
該物品のうちの少なくも一つを該ハウジングから分配されるようにするために、該インターフェースからの電気信号を受信するように構成されている分配装置と、
該ハウジングに動作可能なように結合される視覚指示器であって、該分配メカニズムが再貯蔵または変更されることを指示するために作動されるように構成されている該視覚指示器と、
該ハウジングに動作可能なように結合される感知メカニズムであって、該感知メカニズムが作動された場合に、電気信号を、該インターフェースを介して送信されるように、該インターフェースと電気的に結合されている該感知メカニズムと
を備える、分配メカニズム。
【請求項４６】
前記視覚指示器が照明を備える、請求項４５に記載の分配メカニズム。
【請求項４７】
前記感知メカニズムがボタンを備える、請求項４５に記載の分配メカニズム。
【請求項４８】
前記分配装置が、モーターおよびソレノイドから成る装置の群から選択される、請求項４５に記載の分配装置。